(57)【特許請求の範囲】
【請求項１】
現在調理している食物の調理パラメータを取得するステップであって、前記調理パラメータは、前記食物の調理中の状態を説明するためのものであるステップと、
前記調理パラメータに基づいてレンジフードの目標作動電力を決定するステップと、
前記レンジフードを前記目標作動電力に従って作動するように制御するステップと、
を含み、
前記現在調理している食物の調理パラメータを取得するステップは、
カメラにより採取された前記食物の写真を取得し、前記写真における画素点の画素値に基づいて前記食物の現在の色を決定するステップと、
前記写真における各画素点の画素値を取得するステップと、
前記写真に対して、周辺化処理を行い、前記食物を調理する鍋の輪郭を取得するステップと、
前記写真のすべての画素点において、前記輪郭内にある画素点の画素値のみに対して平均処理を行い、一つの平均画素値を取得するステップと、
前記平均画素値を前記食物の現在の色の画素値に決定するステップと、を含む、
ことを特徴とするレンジフードを制御する方法。
【請求項２】
前記調理パラメータは、前記食物の重量と、前記食物の現在の色と、煙霧濃度との少なくとも一つを含み、
前記現在調理している食物の調理パラメータを取得するステップは、
前記食物を調理するレンジ台または鍋により報告された重量データを受信し、前記重量データに基づいて前記食物の重量を決定するステップと、
煙霧濃度センサーにより報告された煙霧濃度を受信するステップと、
の少なくとも一つを含む、
ことを特徴とする請求項１に記載のレンジフードを制御する方法。
【請求項３】
前記調理パラメータは、前記食物の重量を含み、
前記調理パラメータに基づいてレンジフードの目標作動電力を決定するステップは、
前記食物の重量が予め設定された重量を超える場合、第１の予め設定された電力を前記レンジフードの目標作動電力として設定するステップと、
前記食物の重量が予め設定された重量を超えない場合、第２の予め設定された電力を前記レンジフードの目標作動電力として設定するステップであって、前記第１の予め設定された電力が前記第２の予め設定された電力よりも大きいステップと、
を含む、
ことを特徴とする請求項１または２に記載のレンジフードを制御する方法。
【請求項４】
前記調理パラメータは、前記食物の現在の色を含み、
前記調理パラメータに基づいてレンジフードの目標作動電力を決定するステップは、
前記食物の色が予め設定された色範囲内にない場合、第３の予め設定された電力を前記レンジフードの目標作動電力として設定するステップであって、前記予め設定された色範囲が前記食物の正常な色範囲であるステップと、
前記食物の色が前記予め設定された色範囲内にある場合、第４の予め設定された電力を前記レンジフードの目標作動電力として設定するステップであって、前記第３の予め設定された電力が前記第４の予め設定された電力よりも大きいステップと、
を含む、
ことを特徴とする請求項１または２に記載のレンジフードを制御する方法。
【請求項５】
前記第３の予め設定された電力を前記レンジフードの目標作動電力として設定するステップの後、さらに、
警報情報を生成し、現在の調理過程を警報するステップと、
前記食物を調理する電源またはガスを遮断するステップと、
を含む、
ことを特徴とする請求項４に記載のレンジフードを制御する方法。
【請求項６】
前記調理パラメータは、煙霧濃度を含み、
前記調理パラメータに基づいてレンジフードの目標作動電力を決定するステップは、
前記煙霧濃度が予め設定された煙霧濃度を超える場合、第５の予め設定された電力を前記レンジフードの目標作動電力として設定するステップと、
前記煙霧濃度が前記予め設定された煙霧濃度を超えない場合、第６の予め設定された電力を前記レンジフードの目標作動電力として設定するステップであって、前記第５の予め設定された電力が前記第６の予め設定された電力よりも大きいステップと、
を含む、
ことを特徴とする請求項１または２に記載のレンジフードを制御する方法。
【請求項７】
前記第５の予め設定された電力を前記レンジフードの目標作動電力として設定するステップの後、さらに、
警報情報を生成し、現在の調理過程を警報するステップと、
前記食物を調理する電源またはガスを遮断するステップと、
を含む、
ことを特徴とする請求項６に記載のレンジフードを制御する方法。
【請求項８】
現在調理している食物の調理パラメータを取得するための取得モジュールであって、前記調理パラメータは、前記食物の調理中の状態を説明するためのものである取得モジュールと、
前記調理パラメータに基づいてレンジフードの目標作動電力を決定するための決定モジュールと、
前記レンジフードを前記目標作動電力に従って作動するように制御するための制御モジュールと、
を含み、
前記取得モジュールは、
カメラにより採取された前記食物の写真を取得し、前記写真における画素点の画素値に基づいて前記食物の現在の色を決定するステップと、
前記写真における各画素点の画素値を取得するステップと、
前記写真に対して、周辺化処理を行い、前記食物を調理する鍋の輪郭を取得するステップと、
前記写真のすべての画素点において、前記輪郭内にある画素点の画素値のみに対して平均処理を行い、一つの平均画素値を取得するステップと、
前記平均画素値を前記食物の現在の色の画素値に決定するステップと、を実行する、
ことを特徴とするレンジフードを制御する装置。
【請求項９】
前記調理パラメータは、前記食物の重量と、前記食物の現在の色と、煙霧濃度との少なくとも一つを含み、
前記取得モジュールは、
前記食物を調理するレンジ台または鍋により報告された重量データを受信し、前記重量データに基づいて前記食物の重量を決定するステップと、
煙霧濃度センサーにより報告された煙霧濃度を受信するステップと、
の少なくとも一つを実行する、
ことを特徴とする請求項８に記載のレンジフードを制御する装置。
【請求項１０】
前記調理パラメータは、前記食物の重量を含み、
前記決定モジュールは、具体的に、
前記食物の重量が予め設定された重量を超える場合、第１の予め設定された電力を前記レンジフードの目標作動電力として設定し、
前記食物の重量が予め設定された重量を超えない場合、第２の予め設定された電力を前記レンジフードの目標作動電力として設定し、前記第１の予め設定された電力が前記第２の予め設定された電力よりも大きい、
ことを特徴とする請求項８または９に記載のレンジフードを制御する装置。
【請求項１１】
前記調理パラメータは、前記食物の現在の色を含み、
前記決定モジュールは、具体的に、
前記食物の色が予め設定された色範囲内にない場合、第３の予め設定された電力を前記レンジフードの目標作動電力として設定し、前記予め設定された色範囲が前記食物の正常な色範囲であり、
前記食物の色が前記予め設定された色範囲内にある場合、第４の予め設定された電力を前記レンジフードの目標作動電力として設定し、前記第３の予め設定された電力が前記第４の予め設定された電力よりも大きい、
ことを特徴とする請求項８または９に記載のレンジフードを制御する装置。
【請求項１２】
前記決定モジュールは、さらに、
警報情報を生成し、現在の調理過程を警報し、
前記食物を調理する電源またはガスを遮断する、
ことを特徴とする請求項１１に記載のレンジフードを制御する装置。
【請求項１３】
前記調理パラメータは、煙霧濃度を含み、
前記決定モジュールは、具体的に、
前記煙霧濃度が予め設定された煙霧濃度を超える場合、第５の予め設定された電力を前記レンジフードの目標作動電力として設定し、
前記煙霧濃度が前記予め設定された煙霧濃度を超えない場合、第６の予め設定された電力を前記レンジフードの目標作動電力として設定し、前記第５の予め設定された電力が前記第６の予め設定された電力よりも大きい、
ことを特徴とする請求項８または９に記載のレンジフードを制御する装置。
【請求項１４】
前記決定モジュールは、さらに、
警報情報を生成し、現在の調理過程を警報し、
前記食物を調理する電源またはガスを遮断する、
ことを特徴とする請求項１３に記載のレンジフードを制御する装置。
【請求項１５】
プロセッサと、
プロセッサにより実行可能な命令を記憶するためのメモリと、
を含み、
前記プロセッサは、請求項１乃至７のいずれかに記載のレンジフードを制御する方法を実行するように構成される、
ことを特徴とするレンジフードを制御する装置。
【請求項１６】
命令が記憶されるコンピュータ読み取り可能な記憶媒体であって、
前記命令がプロセッサにより実行される場合、請求項１乃至７のいずれかに記載のレンジフードを制御する方法を実行する、
ことを特徴とするコンピュータ読み取り可能な記憶媒体。
【発明の詳細な説明】
【技術分野】
【０００１】
本発明は、家電機器分野に関し、特にレンジフードを制御する方法と装置、及び記憶媒体に関するものである。
【背景技術】
【０００２】
現在、キッチンには、通常、レンジフードが配置されることで、キッチン中の油煙を迅速に排出する。レンジフードには、通常、異なる作動電力が設定され、作動電力が大きいほど、レンジフード作動際のモータの風力が大きく、より多くの油煙が排出される一方、作動電力が小さいほど、レンジフード作動際のモータの風力が小さく、油煙がわずかに排出される。
【０００３】
関連技術において、レンジフードをオンにした後、ユーザは、調理中の実情に基づいてレンジフードの作動電力を調整する。たとえば、ユーザは、調理過程で生成された油煙が多すぎることを発見した場合に、レンジフードの作動モードを手動で調整することにより、レンジフードを大きい作動電力で作動させ、ユーザは、調理過程で生成された油煙が多くない場合に、レンジフードの作動モードを手動で調整することにより、レンジフードを低い作動電力で作動させる。
【発明の概要】
【発明が解決しようとする課題】
【０００４】
関連技術に存在する問題を解消するために、本発明は、レンジフードを制御する方法と装置、及び記憶媒体を提供する。
【０００５】
本発明の実施例に係る第１形態によれば、レンジフードを制御する方法を提供し、前記方法は、
現在調理している食物の調理パラメータを取得し、前記調理パラメータは、前記食物の調理中の状態を説明するためのものであるステップと、
前記調理パラメータに基づいてレンジフードの目標作動電力を決定するステップと、
前記レンジフードを前記目標作動電力に従って作動するように制御するステップと、を含む。
【０００６】
任意的に、前記調理パラメータは、前記食物の重量と、前記食物の現在の色と、煙霧濃度との少なくとも一つを含み、
前記現在調理している食物の調理パラメータを取得するステップは、
前記食物を調理するレンジ台または鍋により報告された重量データを受信し、且つ前記重量データに基づいて前記食物の重量を決定するステップと、
カメラにより採取された前記食物の写真を取得し、且つ前記写真における画素点の画素値に基づいて前記食物の現在の色を決定するステップと、
煙霧濃度センサーにより報告された煙霧濃度を受信するステップとの少なくとも一つを含む。
【０００７】
任意的に、前記調理パラメータは、前記食物の重量を含み、
前記調理パラメータに基づいてレンジフードの目標作動電力を決定するステップは、
前記食物の重量が予め設定された重量を超える場合に、第１の予め設定された電力を前記レンジフードの目標作動電力として設定するステップと、
前記食物の重量が予め設定された重量を超えない場合に、第２の予め設定された電力を前記レンジフードの目標作動電力として設定するステップであって、前記第１の予め設定された電力が前記第２の予め設定された電力よりも大きいステップと、を含む。
【０００８】
任意的に、前記調理パラメータは、前記食物の現在の色を含み、
前記調理パラメータに基づいてレンジフードの目標作動電力を決定するステップは、
前記食物の色が予め設定された色範囲内にない場合に、第３の予め設定された電力を前記レンジフードの目標作動電力として設定するステップであって、前記予め設定された色範囲が前記食物の正常な色範囲であるステップと、
前記食物の色が前記予め設定された色範囲内にある場合に、第４の予め設定された電力を前記レンジフードの目標作動電力として設定するステップであって、前記第３の予め設定された電力が前記第４の予め設定された電力よりも大きいステップと、を含む。
【０００９】
任意的に、前記第３の予め設定された電力を前記レンジフードの目標作動電力として設定するステップの後、
警報情報を生成し、現在の調理過程を警報するステップと、
前記食物を調理する電源またはガスを遮断するステップと、をさらに含む。
任意的に、前記調理パラメータは、煙霧濃度を含み、
前記調理パラメータに基づいてレンジフードの目標作動電力を決定するステップは、
前記煙霧濃度が予め設定された煙霧濃度を超える場合に、第５の予め設定された電力を前記レンジフードの目標作動電力として設定するステップと、
前記煙霧濃度が前記予め設定された煙霧濃度を超えない場合に、第６の予め設定された電力を前記レンジフードの目標作動電力として設定するステップであって、前記第５の予め設定された電力が前記第６の予め設定された電力よりも大きいステップと、を含む。
【００１０】
任意的に、前記第５の予め設定された電力を前記レンジフードの目標作動電力として設定するステップの後、
警報情報を生成し、現在の調理過程を警報するステップと、
前記食物を調理する電源またはガスを遮断するステップと、をさらに含む。
【００１１】
本発明の実施例に係る第２形態によれば、レンジフードを制御する装置を提供し、前記装置は、
現在調理している食物の調理パラメータを取得するための取得モジュールであって、前記調理パラメータは、前記食物の調理中の状態を説明するためのものである取得モジュールと、
前記調理パラメータに基づいてレンジフードの目標作動電力を決定するための決定モジュールと、
前記レンジフードを前記目標作動電力に従って作動するように制御するための制御モジュールと、備える。
【００１２】
任意的に、前記調理パラメータは、前記食物の重量と、前記食物の現在の色と、煙霧濃度との少なくとも一つを含み、
前記取得モジュールは、
前記食物を調理するレンジ台または鍋により報告された重量データを受信し、且つ前記重量データに基づいて前記食物の重量を決定するステップと、
カメラにより採取された前記食物の写真を取得し、且つ前記写真における画素点の画素値に基づいて前記食物の現在の色を決定するステップと、
煙霧濃度センサーにより報告された煙霧濃度を受信するステップとの少なくとも一つを実行するためのものである。
【００１３】
任意的に、前記調理パラメータは、前記食物の重量を含み、
前記決定モジュールは、具体的に、
前記食物の重量が予め設定された重量を超える場合に、第１の予め設定された電力を前記レンジフードの目標作動電力として設定し、
前記食物の重量が予め設定された重量を超えない場合に、第２の予め設定された電力を前記レンジフードの目標作動電力として設定し、前記第１の予め設定された電力が前記第２の予め設定された電力よりも大きい。
【００１４】
任意的に、前記調理パラメータは、前記食物の現在の色を含み、
前記決定モジュールは、具体的に、
前記食物の色が予め設定された色範囲内にない場合に、第３の予め設定された電力を前記レンジフードの目標作動電力として設定し、前記予め設定された色範囲が前記食物の正常な色範囲であり、
前記食物の色が前記予め設定された色範囲内にある場合に、第４の予め設定された電力を前記レンジフードの目標作動電力として設定し、前記第３の予め設定された電力が前記第４の予め設定された電力よりも大きいために用いられる。
【００１５】
任意的に、前記決定モジュールは、さらに、
警報情報を生成し、現在の調理過程にて警報し、
前記食物を調理する電源またはガスを遮断するために用いられる。
【００１６】
任意的に、前記調理パラメータは、煙霧濃度を含み、
前記決定モジュールは、具体的に、
前記煙霧濃度が予め設定された煙霧濃度を超える場合に、第５の予め設定された電力を前記レンジフードの目標作動電力として設定し、
前記煙霧濃度が前記予め設定された煙霧濃度を超えない場合に、第６の予め設定された電力を前記レンジフードの目標作動電力として設定し、前記第５の予め設定された電力が前記第６の予め設定された電力よりも大きいために用いられる。
【００１７】
任意的に、前記決定モジュールは、さらに、
警報情報を生成し、現在の調理過程にて警報し、
前記食物を調理する電源またはガスを遮断する。
【００１８】
本発明の実施例に係る第３形態によれば、レンジフードを制御する装置を提供し、前記装置は、
プロセッサと、
プロセッサにより実行可能な命令を記憶するメモリと、
を含み、
前記プロセッサは、上記第１形態に記載のレンジフードを制御する方法を実行するように構成される。
【００１９】
本発明の実施例に係る第４形態によれば、コンピュータ読み取り可能な記憶媒体を提供し、前記コンピュータ読み取り可能な記憶媒体には、命令が記憶され、前記命令がプロセッサにより実行される場合に、上記第１形態に記載のレンジフードを制御する方法を実行することを特徴とする。
【００２０】
第５形態によれば、命令を含むコンピュータプログラム製品を提供し、それがコンピュータにて運転される場合に、コンピュータが上記第１形態に記載のレンジフードを制御する方法を実行するようになる。
【００２１】
本発明の実施例に提供される技術案は、以下の有益な効果を含むことができる。
【００２２】
本発明の実施例において、現在調理している食物の調理パラメータに基づいて、レンジフードの目標作動電力を決定することにより、レンジフードを当該目標作動電力に従って作動するように制御する。調理パラメータが食物の調理中の状態を説明するためのものであり、本発明の実施例に提供されるレンジフードを制御する方法により、食物の調理中の状態に基づいて、レンジフードの作動電力を自動的に調整することを実現し、レンジフードの作動電力を人工的に調整することを避け、レンジフードを制御する効率を向上させ、これによりレンジフードのユーザ体験を向上させる。
【００２３】
なお、前記一般的な記載及び後述の詳細な記載は、単なる例示的で解釈的な記載であり、本発明を限定しない。
【図面の簡単な説明】
【００２４】
以下の図面は、明細書に組み入れて本明細書の一部分を構成し、本発明に該当する実施例を例示するとともに、明細書とともに本発明の原理を解釈する。
【図１】本発明の実施例に提供される一つのキッチン制御システムの概略図である。
【図２】本発明の実施例に提供される一つのレンジフードを制御する方法のフローチャートである。
【図３】本発明の実施例に提供される他のレンジフードを制御する方法のフローチャートである。
【図４】本発明の実施例に提供される一つのレンジフードを制御する装置のブロック図である。
【図５】本発明の実施例に提供される他のレンジフードを制御する装置ブロック図である。
【発明を実施するための形態】
【００２５】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。それらは、特許請求の範囲に記載の本発明のある側面に一致する装置及び方法の例に過ぎない。
【００２６】
本発明の実施例を詳しく説明する前に、まず、本発明の実施例の利用シーンを説明する。
【００２７】
食物は、調理過程で油煙が生成されるため、当該油煙を迅速に排出しなければ、キッチンの衛生に影響を与えることがあり、従って、キッチンでは、通常、レンジフードが配置され、これにより、当該レンジフードによって調理過程で生成された油煙を迅速に排出する。本発明の実施例に提供されるレンジフードを制御する方法は、調理過程で生成された油煙を迅速に排出するシーンに利用される。
【００２８】
関連技術中、ユーザは、手動でレンジフードの作動モードを調整することで、レンジフードへの制御を実現する必要があるため、レンジフードを制御する効率を低減させ、これによりレンジフードのユーザ体験に影響を与える。従って、本発明の実施例は、レンジフードを制御する方法を提供し、当該方法は、現在調理している食物の調理パラメータに基づいて、レンジフードの目標作動電力を決定することにより、レンジフードを当該目標作動電力に従って作動するように制御するステップを含む。調理パラメータは、食物の調理中の状態を説明するためのものであり、本発明の実施例に提供されるレンジフードを制御する方法により、食物の調理中の状態に基づいて、レンジフードの作動電力を自動的に調整することを実現し、レンジフードの作動電力を人工的に調整することを避け、レンジフードを制御する効率を向上させ、これによりレンジフードのユーザ体験を向上させる。
【００２９】
本発明の実施例に提供されるレンジフードを制御する方法は、レンジフードへの自動的な制御を実現するため、本発明の実施例は、キッチン制御システムをさらに提供する。図１に示すように、当該キッチン制御システム１００は、レンジフード１０１と、カメラ１０２と、食物を調理するためのレンジ台１０３と、食物を調理するための鍋１０４と、煙霧濃度センサー１０５と、制御センター１０６とを含む。
【００３０】
レンジフード１０１と、カメラ１０２と、食物を調理するためのレンジ台１０３と、食物を調理するための鍋１０４と、煙霧濃度センサー１０５とは、それぞれ制御センター１０６に有線または無線の方式で接続されることで、通信する。
【００３１】
ここで、レンジフード１０１は、制御センター１０６によって送信された制御命令に基づいて作動することにより、調理過程で生成される油煙を排出するために用いられる。カメラ１０２は、調理過程で調理中の食物への写真を採取し、採取された写真を制御センター１０６に報告するために用いられる。レンジ台１０３または鍋１０４は、食物調理以外に、それ自体に取り付けられる秤量はかりにより重量データを決定し、且つ当該重量データを制御センター１０６に報告するためにさらに用いられる。煙霧濃度センサー１０５は、現在の煙霧濃度を決定し、且つ当該煙霧濃度を制御センター１０６に報告するために用いられる。制御センター１０６は、カメラ１０２に報告した写真、レンジ台１０３または鍋１０４が報告した重量データ、及び煙霧濃度センサー１０５が報告した煙霧濃度に基づいて、レンジフード１０１の作動電力を決定し、且つレンジフード１０１に制御命令を送信することにより、レンジフード１０１が決定された作動電力に基づいて作動する。
【００３２】
任意的に、カメラ１０２と、食物を調理するためのレンジ台１０３と、食物を調理するための鍋１０４と、煙霧濃度センサー１０５とは、それぞれレンジフード１０１に有線または無線の方式で接続されることで、通信を行い、この時、レンジフード１０１は、図１における制御センター１０６に相当し、即ち、レンジフード１０１は、カメラ１０２が報告した写真、レンジ台１０３または鍋１０４が報告した重量データ、及び煙霧濃度センサー１０５が報告した煙霧濃度に基づいて、それ自体の作動電力を決定し、決定された作動電力に基づいて作動する。
【００３３】
また、カメラ１０２及び煙霧濃度センサー１０５は、単独でキッチン内に配置されるカメラ及び煙霧濃度センサーであってもよく、レンジフード１０１内に統合されるカメラ及び煙霧濃度センサーであってもよい。本発明の実施例は、ここで具体的に限定しない。
【００３４】
ここで、制御センターは、携帯電話、タブレット・コンピュータ、コンピュータ等の端末であってもよく、サーバーであってもよい。図１では、制御センターがコンピュータであることを例として説明する。
【００３５】
次に、本発明の実施例に提供されるレンジフードを制御する方法を詳しく説明する。
【００３６】
図２は、本発明の実施例に提供される一つのレンジフードを制御する方法のフローチャートであり、図２に示すように、当該方法は、ステップ２０１〜ステップ２０３を含む。
【００３７】
ステップ２０１において、現在調理している食物の調理パラメータを取得し、当該調理パラメータは、当該食物の調理中の状態を説明するためのものである。
【００３８】
ステップ２０２において、当該調理パラメータに基づいてレンジフードの目標作動電力を決定する。
【００３９】
ステップ２０３において、当該レンジフードを当該目標作動電力に従って作動するように制御する。
【００４０】
本発明の実施例において、現在調理している食物の調理パラメータに基づいて、レンジフードの目標作動電力を決定することにより、レンジフードを当該目標作動電力に従って作動するように制御する。調理パラメータが食物の調理中の状態を説明するためのものであり、本発明の実施例に提供されるレンジフードを制御する方法により、食物の調理中の状態に基づいて、レンジフードの作動電力を自動的に調整することを実現し、レンジフードの作動電力を人工的に調整することを避け、レンジフードを制御する効率を向上させ、これによりレンジフードのユーザ体験を向上させる。
【００４１】
任意的に、当該調理パラメータは、当該食物の重量と、当該食物の現在の色と、煙霧濃度との少なくとも一つを含み、
現在調理している食物の調理パラメータを取得するステップは、
当該食物を調理するレンジ台または鍋により報告された重量データを受信し、且つ当該重量データに基づいて当該食物の重量を決定するステップと、
カメラにより採取された当該食物の写真を取得し、且つ当該写真における画素点の画素値に基づいて当該食物の現在の色を決定するステップと、
煙霧濃度センサーにより報告された煙霧濃度を受信するステップと、
の少なくとも一つを含む。
【００４２】
任意的に、当該調理パラメータは、当該食物の重量を含み、
当該調理パラメータに基づいてレンジフードの目標作動電力を決定するステップは、
当該食物の重量が予め設定された重量を超える場合に、第１の予め設定された電力を当該レンジフードの目標作動電力として設定するステップと、
当該食物の重量が予め設定された重量を超えない場合に、第２の予め設定された電力を当該レンジフードの目標作動電力として設定し、当該第１の予め設定された電力が当該第２の予め設定された電力よりも大きいステップと、を含む。
【００４３】
任意的に、当該調理パラメータは、当該食物の現在の色を含み、
当該調理パラメータに基づいてレンジフードの目標作動電力を決定するステップは、
当該食物の色が予め設定された色範囲内にない場合に、第３の予め設定された電力設定を当該レンジフードの目標作動電力として設定し、当該予め設定された色範囲が当該食物の正常な色範囲であるステップと、
当該食物の色が当該予め設定された色範囲内にある場合に、第４の予め設定された電力を当該レンジフードの目標作動電力として設定し、当該第３の予め設定された電力が当該第４の予め設定された電力よりも大きいステップと、を含む。
【００４４】
任意的に、第３の予め設定された電力を当該レンジフードの目標作動電力として設定するステップの後、さらに、
警報情報を生成し、現在の調理過程を警報するステップと、
当該食物を調理する電源またはガスを遮断するステップと、を含む。
【００４５】
任意的に、当該調理パラメータは、煙霧濃度を含み、
当該調理パラメータに基づいてレンジフードの目標作動電力を決定するステップは、
当該煙霧濃度が予め設定された煙霧濃度を超える場合に、第５の予め設定された電力を当該レンジフードの目標作動電力として設定するステップと、
当該煙霧濃度が当該予め設定された煙霧濃度を超えない場合に、第６の予め設定された電力を当該レンジフードの目標作動電力として設定し、当該第５の予め設定された電力が当該第６の予め設定された電力よりも大きいステップとを含む。
【００４６】
任意的に、第５の予め設定された電力を当該レンジフードの目標作動電力として設定するステップの後、さらに、
警報情報を生成し、現在の調理過程を警報するステップと、
当該食物を調理する電源またはガスを遮断するステップと、を含む。
【００４７】
上記任意な技術案のいずれも、任意な組み合わせで本発明の任意な実施例を形成することができ、本発明の実施例では、詳細な説明を省略する。
【００４８】
図１に示すキッチン制御システムに基づいて、制御センターで上記図２に提供されるレンジフードを制御する方法を実行してもよく、レンジフード自体で上記図２に示すレンジフードを制御する方法を実行してもよいことが分かり、本発明の実施例は、ここで具体的に限定しない。特に、下述実施例は、制御センターが上記図２に示すレンジフードを制御する方法を実行することを例として詳しく説明する。
【００４９】
図３は、本発明の実施例に提供される他のレンジフードを制御する方法のフローチャートであり、図１に示す制御センターに適用され、図３に示すように、当該方法は、ステップ３０１〜ステップ３０４を含む。
【００５０】
ステップ３０１において、現在調理している食物の調理パラメータを取得し、当該調理パラメータは、当該食物の調理中の状態を説明するためのものである。
【００５１】
食物が調理される過程において、食物の調理中の状態は、当該食物の生成可能な油煙を表すために用いられることができる。例えば、現在調理している食物の量が多いほど、現在の調理過程で生成される油煙が多い可能性がある。また、例えば、食物が現在調理し過ぎた状態、例えば焦げた状態である場合に、この時、食物もより多くの油煙が生成される。従って、本発明の実施例において、レンジフードの作動電力を決定するために、まず現在調理している食物の調理パラメータを決定する必要がある。
【００５２】
ここで、調理パラメータは、当該食物の重量と、当該食物の現在の色と、煙霧濃度との少なくとも一つを含む。もちろん、調理パラメータは、食物調理状態を説明するための他のデータ、例えば、食物における水分含有量を含んでもよく、本発明の実施例は、ここで具体的に限定しない。
【００５３】
相応的に、現在調理している食物の調理パラメータを取得するステップは、以下のステップ（１）〜ステップ（３）の少なくとも一つを含む。
【００５４】
（１）当該食物を調理するレンジ台または鍋により報告された重量データを受信し、且つ当該重量データに基づいて当該食物の重量を決定する。
【００５５】
図１に示すように、当該食物を調理するレンジ台または鍋には、秤量するためのはかりが取り付けられ、レンジ台または鍋に食物が置かれた場合に、レンジ台または鍋は、この時の重量データを取得し、且つ当該重量データを制御センターに報告し、制御センターが当該重量データを受信した場合に、当該重量データからレンジ台または鍋の正味重量を引き、当該食物の重量を取得する。
【００５６】
任意的に、レンジ台または鍋に取り付けられるはかりの秤量ゼロ点を予め設定することで、当該はかりにより取得された重量データは、上記当該レンジ台または鍋自体の重量を引いた重量データになり、この時、制御センターが当該重量データを受信した場合に、当該重量データを当該食物の重量として直接に決定する。
【００５７】
（２）カメラにより採取された当該食物の写真を取得し、且つ当該写真における画素点の画素値に基づいて当該食物の現在の色を決定する。
食物が調理される過程において、カメラは、予め設定された期間毎に当該食物に対する写真を採取し、且つ制御センターに当該食物の写真を報告する。制御センターが当該食物の写真を受信した場合に、当該写真に対して画像処理することで、当該食物の色を決定する。
【００５８】
ここで、当該食物に対して画像処理するとの実現形態では、当該写真における各画素点の画素値を取得し、すべての画素点の画素値に対して平均処理を行い、一つの平均画素値を得、得られた平均画素値を当該食物の現在の色的画素値を決定してもよい。
【００５９】
さらに、当該食物の現在の色を決定する正確性を向上させるために、当該写真に対して周辺化処理を行い、当該食物を調理する鍋の輪郭を取得し、当該写真のすべての画素点において、当該輪郭にある画素点の画素値のみに対して平均処理を行い、一つの平均画素値を取得し、当該平均画素値を当該食物の現在の色の画素値に決定する。
【００６０】
また、予め設定された期間が予め設定された時間であり、当該予め設定された期間は、２ｓ、３ｓまたは５ｓ等であってもよい。特に、カメラに採取された写真は、現在の当該食物の状態を表すことが可能になるために、当該予め設定された期間が長すぎることは好ましくない。
【００６１】
（３）煙霧濃度センサーにより報告された煙霧濃度を受信する。
【００６２】
同様に、食物が調理される過程において、キッチンに配置される煙霧濃度センサーは、リアルタイムに、または予め設定された期間毎に、現在の煙霧濃度を決定し、且つ決定された煙霧濃度を制御センターに報告する。
【００６３】
ここで、煙霧濃度センサーとは、空気における煙霧濃度を検出するための一種類のセンサーであり、当該煙霧濃度センサーは、イオン式煙霧センサー、光電式煙霧センサー、またはガス感応式煙霧センサーであってもよい。
【００６４】
ステップ３０２において、当該調理パラメータに基づいてレンジフードの目標作動電力を決定する。
【００６５】
ステップ３０１から、調理パラメータは、当該食物の重量と、当該食物の現在の色と、煙霧濃度との少なくとも一つを含む可能性がある。従って、相応的に、ステップ３０２は、以下の三つの可能な実現形態を有する。
【００６６】
第１の可能な実現形態としては、当該調理パラメータが当該食物の重量を含むシーンに利用される。この時、当該食物の重量が予め設定された重量を超える場合に、第１の予め設定された電力を当該レンジフードの目標作動電力として設定し、当該食物の重量が予め設定された重量を超えない場合に、第２の予め設定された電力を当該レンジフードの目標作動電力として設定し、当該第１の予め設定された電力が当該第２の予め設定された電力よりも大きい。
【００６７】
ここで、予め設定された重量は、予め設定された値である。食物の重量が当該予め設定された重量を超える場合に、食物量が大きくなることを表し、この時、当該食物を調理する過程において、より多くの油煙が生成される可能性があり、従って、レンジフードが大きい作動電力で作動する必要がある。食物の重量が当該予め設定された重量を超えない場合に、食物量があまり多くないこと表し、この時当該食物を調理する過程において、多くの油煙が生成していない可能性があり、従ってレンジフードが大きい作動電力で作動する必要がない。従って、食物の重量が予め設定された重量を超えない場合に、レンジフードに大きい第１の予め設定された電力を配置することができ、食物の重量が当該予め設定された重量を超えない場合に、レンジフードに小さい第２の予め設定された電力を配置することができる。
【００６８】
また、第１の予め設定された電力及び第２の予め設定された電力は予め設定された電力であり、実際の使用中、実際の需要に応じて第１の予め設定された電力及び第２の予め設定された電力の大きさを柔軟に設定することができる。
【００６９】
例えば、予め設定された重量が１キログラムであり、第１の予め設定された電力が１キロワットであり、第２の予め設定された電力が５００ワットである。即ち、食物の重量が１キログラムを超える場合に、レンジフードの目標作動電力を１キロワットに決定し、食物の重量が１キログラムを超えない場合に、レンジフードの目標作動電力を５００ワットに決定する。
【００７０】
第２の可能な実現形態としては、当該調理パラメータが当該食物の現在の色を含むシーンに利用される。この時、当該食物の色が予め設定された色範囲内にない場合に、第３の予め設定された電力設定を当該レンジフードの目標作動電力として設定し、当該予め設定された色範囲が当該食物の正常な色範囲であり、当該食物の色が当該予め設定された色範囲内にある場合に、第４の予め設定された電力を当該レンジフードの目標作動電力として設定し、当該第３の予め設定された電力が当該第４の予め設定された電力よりも大きい。
【００７１】
ここで、予め設定された色範囲が予め設定された色範囲であり、且つ当該予め設定された色範囲が当該食物の正常な色範囲である。当食物の現在の色が当該予め設定された色範囲にない場合に、食物が現在調理し過ぎた状態、例えば焦げた状態であることを表し、この時、当該食物を調理する過程において、より多くの油煙が生成される可能性があり、従って、レンジフードが大きい作動電力で作動する必要がある。食物の現在の色が当該予め設定された色範囲内にある場合に、食物が現在正常な調理状態であることを表し、この時、当該食物を調理する過程において多くの油煙が生成していない可能性があり、従って、レンジフードが大きい作動電力で作動する必要がない。従って、食物の現在の色が当該予め設定された色範囲にない場合に、レンジフードに大きい第３の予め設定された電力を配置することができ、食物の現在の色が当該予め設定された色範囲内にある場合に、レンジフードに小さい第４の予め設定された電力を配置することができる。
【００７２】
また、第３の予め設定された電力及び第４の予め設定された電力が予め設定された電力であり、実際の使用中、実際の需要に応じて第３の予め設定された電力及び第４の予め設定された電力の大きさを柔軟に設定することができる。
【００７３】
例えば、食物が調理し過ぎた的状態であるため、食物は、通常、焦げ黒色を呈し、従って、焦げ黒色に対応する画素値範囲を決定し、当該焦げ黒色に対応する画素値範囲に基づいて上記予め設定された色範囲を決定し、即ち、上記予め設定された色範囲に対応する画素値範囲は、当該焦げ黒色に対応する画素値範囲を含まない。
【００７４】
第３の可能な実現形態としては、当該調理パラメータが煙霧濃度を含むシーンに利用される。この時、当該煙霧濃度が予め設定された煙霧濃度を超える場合に、第５の予め設定された電力を当該レンジフードの目標作動電力として設定し、当該煙霧濃度が当該予め設定された煙霧濃度を超えない場合に、第６の予め設定された電力を当該レンジフードの目標作動電力として設定し、当該第５の予め設定された電力が当該第６の予め設定された電力よりも大きい。
【００７５】
ここで、予め設定された煙霧濃度が予め設定された煙霧濃度である。現在の煙霧濃度が当該予め設定された煙霧濃度を超える場合に、現在キッチンに多すぎる油煙があることを表し、この時、レンジフードが大きい作動電力で作動する必要がある。現在の煙霧濃度が当該予め設定された煙霧濃度を超えない場合に、現在キッチンに多すぎる油煙がないことを表し、この時、レンジフードが大きい作動電力で作動する必要がない。従って、現在の煙霧濃度が予め設定された煙霧濃度を超える場合に、レンジフードに大きい第５の予め設定された電力を配置することができ、現在の煙霧濃度が当該予め設定された煙霧濃度を超えない場合に、レンジフードに小さい第６の予め設定された電力を配置することができる。
【００７６】
また、第５の予め設定された電力及び第６の予め設定された電力は予め設定された電力であり、実際の使用中、実際の需要に応じて第５の予め設定された電力及び第６の予め設定された電力の大きさを柔軟に設定することができる。
【００７７】
任意的に、当該調理パラメータに食物調理状態を表すための他のパラメータを含む場合に、同様に上記三つの可能な実現形態に従って当該他のパラメータに基づいてレンジフードの目標作動電力を決定することができる。
【００７８】
また、当該調理パラメータが当該食物の重量と、当該食物の現在の色と、煙霧濃度との一つのみを含む場合に、上記三つの可能な実現形態中の一つに従ってレンジフードの目標作動電力を直接に決定することができる。
【００７９】
当該調理パラメータが二つ以上のパラメータを含む場合に、この時、それぞれ上記三つの可能な実現形態中の一つに従って各パラメータに対応する目標作動電力を決定し、少なくとも二つの目標作動電力を取得し、その後、当該少なくとも二つの目標作動電力から最大目標作動電力を選択し、選択された目的電力により下述ステップ３０３を実行することができる。
【００８０】
ステップ３０３において、当該レンジフードを当該目標作動電力に従って作動するように制御する。
【００８１】
制御センターは、ステップ３０２でレンジフードの目標作動電力を決定した後、当該目標作動電力に基づいてレンジフードに制御命令を送信し、当該制御命令は、当該目標作動電力を持つ。レンジフードが当該制御命令を受信した後、それ自体のモータが当該制御命令の持つ当該目標作動電力に従って作動するように制御する。
【００８２】
ステップ３０４において、現在において警報する必要があると決定された場合に、警報情報を生成して警報する。
【００８３】
任意的に、本発明の実施例において、ステップ３０２が目標作動電力を決定した後、現在レンジフードが大きい作動電力で作動する必要があると決定された場合に、現在キッチンに油煙が多すぎることを表し、この時、制御センターは、警報することにより、キッチンにいる人に現在キッチンに油煙が多すぎることを提示することができる。
【００８４】
特に、上記当該調理パラメータに基づいてレンジフードの目標作動電力を決定する三つの可能な実現形態のうち、第２の可能な実現形態及び第３の可能な実現形態では、キッチンに安全問題がある可能性があり、従って、ステップ３０４を、以下の二つの情況に分けることができる。
【００８５】
（１）ステップ３０３の第２の可能な実現形態において、第３の予め設定された電力を当該レンジフードの目標作動電力として設定する場合に、現在食物の色が正常な色範囲にないことを表し、この時、食物が焦げた状態である可能性があり、この時、制御センターは、警報情報を生成し、現在の調理過程を警報することができる。
【００８６】
ここで、当該警報情報は、音声情報であってもよく、当該音声情報を再生することで現在の調理過程を警報する。例えば、当該警報情報が予め設定されたリンギングであり、当該予め設定されたリンギングを再生した後、キッチンにいる人は、当該予め設定されたリンギングを聞いて、現在キッチンに油煙が多すぎると決定する。
【００８７】
さらに、安全上の危険性の存在を避けるために、現在の調理過程にて警報した後、当該食物を調理する電源またはガスを遮断することもできる。
【００８８】
（２）ステップ３０３の第３の可能な実現形態において、第５の予め設定された電力を当該レンジフードの目標作動電力として設定する場合に、キッチンに煙霧濃度が大きすぎることを表し、この時、キッチンにいる人の安全に影響を与える可能性があり、従って、制御センターは、警報情報を生成し、現在の調理過程を警報することができる。
【００８９】
さらに、安全危険性の存在を避けるために、現在の調理過程にて警報を行った後、さらに当該食物を調理する電源またはガスを遮断することができる。
【００９０】
本発明の実施例において、現在調理している食物の調理パラメータに基づいて、レンジフードの目標作動電力を決定することにより、レンジフードを当該目標作動電力に従って作動するように制御する。調理パラメータが食物の調理中の状態を説明するためのものであり、本発明の実施例に提供されるレンジフードを制御する方法により、食物の調理中の状態に基づいて、レンジフードの作動電力を自動的に調整することを実現し、レンジフードの作動電力を人工的に調整することを避け、レンジフードを制御する効率を向上させ、これによりレンジフードのユーザ体験を向上させる。
【００９１】
図４は、本発明の実施例に提供される一つのレンジフードを制御する装置のブロック図である。図４を参照し、当該装置は、取得モジュール４０１と、決定モジュール４０２と、制御モジュール４０３とを含む。
【００９２】
取得モジュール４０１は、現在調理している食物の調理パラメータを取得するために用いられ、当該調理パラメータは、当該食物の調理中の状態を説明するためのものである。
決定モジュール４０２は、当該調理パラメータに基づいてレンジフードの目標作動電力を決定するために用いられる。
制御モジュール４０３は、当該レンジフードを当該目標作動電力に従って作動するように制御するために用いられる。
【００９３】
任意的に、当該調理パラメータは、当該食物の重量と、当該食物の現在の色と、煙霧濃度との少なくとも一つを含み、
当該取得モジュール４０１は、
当該食物を調理するレンジ台または鍋により報告された重量データを受信し、且つ当該重量データに基づいて当該食物の重量を決定するステップと、
カメラにより採取された当該食物の写真を取得し、且つ当該写真における画素点の画素値に基づいて当該食物の現在の色を決定するステップと、
煙霧濃度センサーにより報告された煙霧濃度を受信するステップと、
の少なくとも一つを実行するために用いられる。
【００９４】
任意的に、当該調理パラメータは、当該食物の重量を含み、
当該決定モジュール４０２は、具体的に、
当該食物の重量が予め設定された重量を超える場合に、第１の予め設定された電力を当該レンジフードの目標作動電力として設定し、
当該食物の重量が予め設定された重量を超えない場合に、第２の予め設定された電力を当該レンジフードの目標作動電力として設定し、当該第１の予め設定された電力が当該第２の予め設定された電力よりも大きいために用いられる。
【００９５】
任意的に、当該調理パラメータは、当該食物の現在の色を含み、
当該決定モジュール４０２は、具体的に、
当該食物の色が予め設定された色範囲内にない場合に、第３の予め設定された電力設定を当該レンジフードの目標作動電力として設定し、当該予め設定された色範囲が当該食物の正常な色範囲であり、
当該食物の色が当該予め設定された色範囲内にある場合に、第４の予め設定された電力を当該レンジフードの目標作動電力として設定し、当該第３の予め設定された電力が当該第４の予め設定された電力よりも大きいために用いられる。
【００９６】
任意的に、当該決定モジュール４０２は、さらに
警報情報を生成し、現在の調理過程にて警報し、
当該食物を調理する電源またはガスを遮断するために用いられる。
【００９７】
任意的に、当該調理パラメータは、煙霧濃度を含み、
当該決定モジュール４０２は、具体的に、
当該煙霧濃度が予め設定された煙霧濃度を超える場合に、第５の予め設定された電力を当該レンジフードの目標作動電力として設定し、
当該煙霧濃度が当該予め設定された煙霧濃度を超えない場合に、第６の予め設定された電力を当該レンジフードの目標作動電力として設定し、当該第５の予め設定された電力が当該第６の予め設定された電力よりも大きいために用いられる。
【００９８】
任意的に、当該決定モジュール４０２は、さらに、
警報情報を生成し、現在の調理過程にて警報し、
当該食物を調理する電源またはガスを遮断するために用いられる。
【００９９】
本発明の実施例において、現在調理している食物の調理パラメータに基づいて、レンジフードの目標作動電力を決定することにより、レンジフードを当該目標作動電力に従って作動するように制御する。調理パラメータが食物の調理中の状態を説明するためのものであり、本発明の実施例に提供されるレンジフードを制御する方法により、食物の調理中の状態に基づいて、レンジフードの作動電力を自動的に調整することを実現し、レンジフードの作動電力を人工的に調整することを避け、レンジフードを制御する効率を向上させ、これによりレンジフードのユーザ体験を向上させる。
【０１００】
上記実施例における装置について、ここで、各モジュールが操作を実行する具体的な形態は、すでに当該方法に関する実施例に詳しく説明され、ここで詳しく説明しない。
【０１０１】
図５は、本発明の実施例に提供されるレンジフードを制御する装置５００のブロック図である。例えば、装置５００は、携帯電話、コンピュータ、メッセージ送受信機、ゲーム機、タブレットデバイス、医療機器、フィットネス機器、ＰＤＡ等のものであってもよい。
【０１０２】
図５を参照すると、装置５００は、プロセッサユニット５０２と、メモリ５０４と、電源ユニット５０６と、マルチメディアユニット５０８と、オーディオユニット５１０と、入力／出力（Ｉ／Ｏ）インターフェース５１２と、センサーユニット５１４と、通信ユニット５１６とからなる群から選ばれる少なくとも１つを有してもよい。
【０１０３】
プロセッサユニット５０２は、一般的には、装置５００の全体の操作、例えば、表示、電話呼び出し、データ通信、カメラ操作及び記録操作に関連する操作を制御する。プロセッサユニット５０２は、上記した方法におけるステップの一部又は全部を実現できるように、命令を実行する少なくとも１つのプロセッサ５２０を有してもよい。なお、プロセッサユニット５０２は、他のユニットとのインタラクションの便宜を図るように、少なくとも１つのモジュールを有してもよい。例えば、プロセッサユニット５０２は、マルチメディアユニット５０８とのインタラクションの便宜を図るように、マルチメディアモジュールを有してもよい。
【０１０４】
メモリ５０４は、装置５００での操作をサポートするように、各種のデータを記憶するように配置される。これらのデータは、例えば、装置５００で何れのアプリケーション又は方法を操作するための命令、連絡先データ、電話帳データ、メッセージ、画像、ビデオ等を含む。メモリ８０４は、何れの種類の揮発性又は不揮発性メモリ、例えば、スタティックランダムアクセスメモリ（ＳＲＡＭ：Ｓｔａｔｉｃ  Ｒａｎｄｏｍ  Ａｃｃｅｓｓ  Ｍｅｍｏｒｙ）、電気的に消去可能なプログラマブル読み出し専用メモリ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、消去可能なプログラマブル読み出し専用メモリ（ＥＰＲＯＭ：Ｅｒａｓａｂｌｅ  Ｐｒｏｇｒａｍｍａｂｌｅ  Ｒｅａｄ  Ｏｎｌｙ  Ｍｅｍｏｒｙ）、プログラマブル読み出し専用メモリ（ＰＲＯＭ：Ｐｒｏｇｒａｍｍａｂｌｅ  ＲＯＭ）、読み出し専用メモリ（ＲＯＭ：Ｒｅａｄ  Ｏｎｌｙ  Ｍｅｍｏｒｙ）、磁気メモリ、フラッシュメモリ、磁気ディスク、または光ディスクにより、またはそれらの組み合わせにより実現することができる。
【０１０５】
電源ユニット５０６は、装置５００の各種ユニットに電源を供給するためのものであり、電源管理システムと、１つ又は複数の電源と、装置５００のために電力を生成したり、又は管理したり、又は分配することに関連する他のユニットとを有してもよい。
【０１０６】
マルチメディアユニット５０８は、装置５００とユーザとの間に出力インターフェースを提供するスクリーンを有してもよい。スクリーンは、例えば、液晶ディスプレイ（ＬＣＤ）やタッチパネル（ＴＰ）を有してもよい。スクリーンは、タッチパネルを有する場合、ユーザからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド作動の境界を感知できるだけではなく、タッチやスライド操作と関連する持続時間や圧力も感知できる。一実施例では、マルチメディアユニット５０８は、フロントカメラ及び／又はバックカメラを有してもよい。装置５００が、例えば、撮影モードやビデオモードのような操作モードにある際、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１０７】
オーディオユニット５１０は、オーディオ信号を出力及び／又は入力するように配置される。例えば、オーディオユニット５１０は、マイクロフォン（ＭｉＣ）を有してもよい。装置５００が、例えば、呼び出しモード、記録モード、又は音声認識モードのような操作モードにあるとき、マイクロフォンは、外部のオーディオ信号を受信するように配置される。受信したオーディオ信号は、メモリ５０４にさらに記憶されてもよいし、通信ユニット５１６を介して送信されてもよい。一実施例では、オーディオユニット５１０は、オーディオ信号を出力するためのスピーカをさらに有してもよい。
【０１０８】
Ｉ／Ｏインターフェース５１２は、プロセッサユニット５０２と外部のインターフェースモジュールとの間にインターフェースを提供するためのものである。上記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１０９】
センサーユニット５１４は、装置５００のために各方面の状態を評価する少なくとも１つのセンサーを有してもよい。例えば、センサーユニット５１４は、装置５００のオン／オフ状態や、ユニットの相対的な位置を検出することができる。例えば、前記ユニットは、装置５００のディスプレイ及びキーパッドである。センサーユニット５１４は、装置５００又は装置５００の１つのユニットの位置の変化、ユーザによる装置５００への接触の有無、装置５００の方向又は加速／減速、装置５００の温度変化などを検出することができる。センサーユニット５１４は、何れの物理的な接触もない場合に付近の物体を検出するように配置される近接センサーを有してもよい。センサーユニット５１４は、イメージングアプリケーションに用いるための光センサー、例えば、ＣＭＯＳ又はＣＣＤ画像センサーを有してもよい。一実施例では、当該センサーユニット５１４は、加速度センサー、ジャイロスコープセンサー、磁気センサー、圧力センサー又は温度センサーをさらに有してもよい。
【０１１０】
通信ユニット５１６は、装置５００と他の設備の間との無線又は有線通信の便宜を図るように配置される。装置５００は、例えば、ＷｉＦｉ、２Ｇ又は３Ｇ、又はそれらの組み合わせの通信標準に基づく無線ネットワークにアクセスできる。１つの例示的な実施例では、通信ユニット５１６は、ブロードキャストチャンネルを介して外部のブロードキャスト管理システムからのブロードキャスト信号又はブロードキャストに関する情報を受信する。１つの例示的な実施例では、前記通信ユニット５１６は、近距離通信を促進するために近距離無線通信（ＮＦＣ）モジュールをさらに有してもよい。例えば、ＮＦＣモジュールは、無線周波数認識（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（ＢＴ：Ｂｌｕｅｔｏｏｔｈ）技術及び他の技術に基づいて実現されてもよい。
【０１１１】
例示的な実施例では、装置５００は、上記した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、デジタル信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラマブルロジックデバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器によって実現されてもよい。
【０１１２】
例示的な実施例では、命令を有する非一時的コンピュータ読み取り可能な記憶媒体、例えば、命令を有するメモリ５０４をさらに提供する。この命令は、装置５００のプロセッサ５２０により実行されて上記した方法を実行する。例えば、前記非一時的コンピュータ読み取り可能な記憶媒体は、ＲＯＭ、ＲＡＭ、ＣＤ−ＲＯＭ、磁気テープ、フロッピー（登録商標）ディスク及び光データメモリ等であってもよい。
【０１１３】
非一時的コンピュータ読み取り可能な記憶媒体は、前記記憶媒体における命令が端末のプロセッサにより実行されると、端末が上記の実施例に提供されるレンジフードを制御する方法を実行するようにする。
【０１１４】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、例示的なものにすぎず、本発明の真の範囲と主旨は、以下の特許請求の範囲に基づいて示される。
【０１１５】
本発明は、上記で記述され、図面で図示した特定の構成に限定されず、その範囲を逸脱しない範囲で、様々な修正や変更することができる。本発明の範囲は、添付される特許請求の範囲のみにより限定される。
【図１】
0006868621.tif 000002
【図２】
0006868621.tif 000003
【図３】
0006868621.tif 000004
【図４】
0006868621.tif 000005
【図５】
0006868621.tif 000006